(57)【特許請求の範囲】
【請求項１】
複数本の絶縁線心をシースで被覆してなり、前記複数本の絶縁線心の、前記シースで被覆する前の軸線と直交方向の断面形状が略円形状となるように全周を介在で覆った低圧用配線ケーブルにおいて、
前記介在は、縦方向の分割面で二分される一対の介在として構成され、これらの介在と前記複数本の絶縁線心とが一体に撚り合わされていることを特徴とする低圧用配線ケーブル。
【請求項２】
少なくとも第１ダイス、第２ダイスの２個のダイスのそれぞれに介在用素材を供給して一対の介在を成形するとともに、
これらの介在と複数本の絶縁線心とを撚り口金に搬送し、
この撚り口金で前記絶縁線心と前記介在とを一体に撚り合わせて前記絶縁線心の全周を前記介在で覆うとともに、前記絶縁線心の軸線と直交方向の断面形状が略円形状となるように前記介在を形成し、その後前記介在の外周にシースを被覆してなることを特徴とした低圧用配線ケーブルの製造方法。
【発明の詳細な説明】
【０００１】
【発明の属する技術分野】
本発明は低圧用配線ケーブル及びその製造方法、とりわけ屋内の低圧用配線として一般に多用されている低圧用配線ケーブル及びその製造方法に関するものである。
【０００２】
【従来の技術】
６００Ｖ定格のビニル絶縁ビニルシースケーブル等の低圧用配線ケーブルは、経済的に優れ、とりわけ屋内の低圧用として一般に多用されている。このような低圧用配線ケーブル３０は、図５及び図６に示すように、一般的に丸形ケーブルの構造上から、銅導体３１を絶縁被覆して形成した絶縁線心３２間の隙間にジュートなどの介在３３を撚り込み、その上から不織布などのテープ３４を巻いた後、ＰＶＣ（ポリ塩化ビニル）シース３５（以下、「シース３５」という）を被覆した構造からなる。
【０００３】
上記した構成中、絶縁線心３２及び介在３３に巻き付けたテープ３４は、撚り込んだ絶縁線心３２や介在３３が緩んだり解けたりすることを防ぎ、さらに絶縁線心３２とシース３５とが直接接触して絶縁線心３２とシース３５とが貼り付くことを防でいる。
【０００４】
【発明が解決しようとする課題】
しかし、絶縁線心３２及び介在３３にテープ３４を巻き付けているため、製造の際の工程数が多くなり、また、ケーブル使用時にはテープ３４の除去が必要となって施工作業が非効率的であった。
また、低圧用配線ケーブル３０は、導体３１となる銅、絶縁線心３２の絶縁体やシース３５となるＰＶＣ、介在３３となるジュート、さらにテープ３４となる不織布というように構成材料が多枝にわたるため、廃棄やリサイクルの際に分別に手間がかかるという問題もあった。
【０００５】
なお、押さえ巻きテープを単純に廃止した場合には、絶縁線心とシースとが貼り付かないように、タルクなどの剥離剤や離型剤を絶縁線心に塗布する必要があるが、このような手段は、製造時の作業工程が多くなるため、生産性向上を図る上で問題であった。
【０００６】
本発明は上記事情に鑑みなされたもので、生産性の向上を図ることができると同時に、施工作業の省力化を図ることができ、さらに製造コストの低減も図れる低圧用配線ケーブル及びその製造方法を提供することを目的とする。
【０００７】
【発明が解決しようとする課題】
上記目的を達成するための本発明に係る低圧用配線ケーブルは、複数本の絶縁線心をシースで被覆してなり、前記複数本の絶縁線心の、前記シースで被覆する前の軸線と直交方向の断面形状が略円形状となるように全周を介在で覆った低圧用配線ケーブルにおいて、前記介在は、縦方向の分割面で二分される一対の介在として構成され、これらの介在と前記複数本の絶縁線心とが一体に撚り合わされていることを特徴とする。
【０００８】
そして、上記構成によれば、一対の介在で絶縁線心の全周を覆うことにより、絶縁線心とシースとが直接接触することを防ぐことができる。したがって、従来方法で絶縁線心及び介在に巻き付けていたテープを不要にして、施工時のテープ除去作業を省くことができる。
また、テープを不要にすることにより、あるいは剥離剤等の不使用により製造コストの低減を図ることができる。
【０００９】
あるいは、本発明に係る低圧用配線ケーブルの製造方法は、少なくとも第１ダイス、第２ダイスの２個のダイスのそれぞれに介在用素材を供給して一対の介在を成形するとともに、これらの介在と複数本の絶縁線心とを撚り口金に搬送し、この撚り口金で前記絶縁線心と前記介在とを一体に撚り合わせて前記絶縁線心の全周を前記介在で覆うとともに、前記絶縁線心の軸線と直交方向の断面形状が略円形状となるように前記介在を形成し、その後前記介在の外周にシースを被覆してなることを特徴とする。
【００１０】
そして、上記製法によれば、一対の介在を別工程で予め成形しておいて、これらの介在を複数本の絶縁線心と同時に撚り込むことにしたので、従来必要としていたテープの巻付け工程を省くことができる。
【００１１】
【発明の実施の形態】
以下、本発明に係る低圧用配線ケーブル及びその製造方法の好適な実施の形態を図面を参照して詳細に説明する。
図１は本発明に係る低圧用配線ケーブルの構成を示す斜視図、図２は図１の低圧用配線ケーブルの正面図、図３は本発明に係る低圧用配線ケーブルの製造装置を示す側面図、図４（ａ）は本発明に係る低圧用配線ケーブルの製造装置に適用される第１ダイスを示す正面図、図４（ｂ）は同じく第２ダイスを示す正面図である。
なお、本実施の形態では低圧用配線ケーブルとして、２心の場合について説明する。
【００１２】
図１及び図２に示すように、低圧用配線ケーブル１は、２本の絶縁線心２が軸線方向に沿って相互に撚り合わされ、これらの絶縁線心２の全周を後述する介在５が覆った状態で、シース８を被覆して構成されている。
なお、絶縁線心２は、押出し成形機で銅導体３にＰＶＣ（ポリ塩化ビニル）の絶縁被膜を外装として設けたものである。
【００１３】
介在５は、図２に示すように、絶縁線心２がシース８で被覆される前の軸線と直交方向の断面形状が略円形状となるように形を整えると同時に、縦方向の分割面７で二分される一対の成形体（５ａ、５ｂ）として構成されている。つまり、一体化された際に２本の絶縁線心２、２を挟んで収容する空隙部を内部に形成するとともに、その外周面を円形状にする。更に述べると、二分化されたハーフ５ａ、５ｂはそれぞれ同一形状からなり、外周面が半円弧状に形成されるとともに、分割面側が凹設された２個の半円弧面を並置した形状に形成されている。
【００１４】
そして、一対のハーフ５ａ、５ｂと２本の絶縁線心２とを一体的に撚り合わせると、２本の絶縁線心２は空隙部内に収容されると同時に介在５によって全周が覆われた状態に設けられる。これにより、２本の絶縁線心２は、シース８と非接触状態に設けられて、シース８との貼り付きが防止される。
【００１５】
上記構成の低圧用配線ケーブル１の製造方法を図３及び図４に基づいて説明する。
先ず、第１の介在用リール１０から連続供給される介在用素材は、図４（ａ）に示す第１ダイス１２の中空部１３を通過して一方のハーフ５ａに成形される。同様に、第２の介在用リール１４から連続供給される介在用素材は、図４（ｂ）に示す第２ダイス１５の中空部１６を通過して他方のハーフ５ｂに成形される。そして、これらのハーフ５ａ、５ｂはともに撚り口金１７に搬送される。
【００１６】
一方、第１の絶縁線心用リール１８から供給される絶縁線心２は撚り口金１７に、ハーフ５ａ、５ｂに同期して搬送される。また、第２の絶縁線心用リール１９から供給される絶縁線心２も同様にして撚り口金１７に搬送される。
そして、撚り口金１７では、一対のハーフ５ａ、５ｂと２本の絶縁線心２とが一体的に撚り合わされて、図２に示すように、介在５で２本の絶縁線心２の全周を覆って外周面が円形状に整えられる。その後、成形体は、図示せぬシース押し出し機に案内され、介在５にＰＶＣシース８を被覆して低圧用配線ケーブル１が製造される。
【００１７】
このように、一対のハーフ５ａ、５ｂを第１、第２のダイス１２、１５で予め成形しておいて、これらハーフ５ａ、５ｂで２本の絶縁線心２の全周を覆うことにより絶縁線心２とシース８とを非接触にできる。この結果、従来技術におけるテープや剥離剤等を省略して、製造コストの低減が図れる。また、テープの省略によって使用時の剥離作業も容易になる。さらに、絶縁線心２とシース８との非接触構造により、絶縁体とシースとの貼り付きも回避される。
【００１８】
ところで、介在５として、本出願人が、特開平９−２４５５３６号公報で既に提案した低圧用配線ケーブルにおいて架橋ＰＥ細断物を主体とする架橋ＰＥ混和物を用いれば、ＰＶＣ絶縁体と介在とＰＶＣシースとの間に相溶性がなく、したがって、ケーブル使用時での介在の剥ぎ取り作業も一層向上でき、また、リサイクル処理にも寄与するという効果が得られる。
なお、上記の実施形態では、２心の低圧用配線ケーブルについて説明したが、本発明はその他、２心以上の多心ケーブルにも適用できる。
【００１９】
【発明の効果】
以上述べたように、本発明による低圧用配線ケーブルによれば、介在で複数本の絶縁線心の全周を覆うことで、絶縁線心とシースとが直接接触することを防いで、従来必要とされていたテープを不要にして、ケーブル使用時のテープ除去作業を省くことができ、施工時における省力化が実現できる。
また、テープや剥離剤を不要にしたことにより、製造コストを低減できて生産性向上が図れる。
【図面の簡単な説明】
【図１】本発明に係る低圧用配線ケーブルの構成を示す斜視図である。
【図２】図１の低圧用配線ケーブルの正面図である。
【図３】本発明に係る低圧用配線ケーブルの製造装置を示す側面図である。
【図４】図３の低圧用配線ケーブルの製造装置に使用するダイスを示し、（ａ）は第１ダイスの正面図、（ｂ）第２ダイスの正面図である。
【図５】従来の低圧用配線ケーブルの構成を示す斜視図である。
【図６】図５の低圧用配線ケーブルの正面図である。
【符号の説明】
１  低圧用配線ケーブル
２  絶縁線心
５  介在
８  シース
１２  第１ダイス
１５  第２ダイス
１７  撚り口金
【図１】
0003681045.tif 000002
【図２】
0003681045.tif 000003
【図３】
0003681045.tif 000004
【図４】
0003681045.tif 000005
【図５】
0003681045.tif 000006
【図６】
0003681045.tif 000007